(57)【特許請求の範囲】
【請求項１】
光記録媒体から検出したＲＦ信号を復号化してデータを再生する装置において、
入力される前記ＲＦ信号をサンプリングして出力するＡ／Ｄ変換器と、
前記サンプリングされた信号及び非対称補正信号とを加算して加算信号を出力する加算器と、
前記加算信号から所定時間中データの変化が検出されない場合、これを示すブランク検出信号を発生するブランク／欠陥検出部と、
前記加算信号を受信してＤＳＶを算出し、算出されたＤＳＶに基づき非対称補正信号を発生し、発生された非対称補正信号を前記加算器に出力する補正信号発生部と、
前記加算信号を波形等化して出力する波形等化器と、
前記波形等化された信号を復号化して出力する復号化器を含み、
前記補正信号発生手段は前記ブランク検出信号が印加される場合、対応する前記加算信号の区間に対するＤＳＶ算出動作を一時中止する光ディスクシステムのデータ再生装置。
【請求項２】
前記復号化器はビタビ復号化器であることを特徴とする請求項１に記載の光ディスクシステムのデータ再生装置。
【請求項３】
前記ブランク／欠陥検出部は、
前記所定時間中前記受信された信号でデータのエッジが検出されないか、既設定されたレベル以上の信号が検出されない場合に前記ブランク検出信号を発生する請求項１に記載の光ディスクシステムのデータ再生装置。
【請求項４】
前記補正信号発生部は前記波形等化された信号を受信してＤＳＶを算出する請求項１に記載の光ディスクシステムのデータ再生装置。
【請求項５】
前記加算信号及び前記波形等化された信号を受信し、外部から供給される選択信号に応じて受信された信号のうち一つを選択して前記補正信号発生部に供給するマルチプレクサを含む請求項４に記載の光ディスクシステムのデータ再生装置。
【請求項６】
前記補正信号発生部は、
入力される信号の符号を検出する符号検出器と、
前記検出された符号に応じてアップまたはダウンカウントして、カウント値を出力するアップ／ダウンカウンターと、
前記カウント値の絶対値を求め、求めた絶対値の大きさを既設定されたスレショルド値と比較し、絶対値がスレショルド値より大きい場合第１比較結果信号を出力する比較器と、
前記第１比較結果信号が印加される場合、前記カウント値の有する符号と異なる符号を有する非対称補正信号を発生する演算部を含み、
前記アップ／ダウンカウンターは前記ブランク検出信号が印加される間、カウント動作が中止される請求項５に記載の光ディスクシステムのデータ再生装置。
【請求項７】
前記波形等化された信号を受信し、受信された信号から前記ビタビ復号化器の中間値レベルに該当するデータを抽出してその大きさを検査し、検査結果に基づいて前記波形等化器のフィルター係数を更新するフィルター係数調整部と、
前記波形等化された信号を受信し、受信された信号から前記ビタビ復号化器の最大値レベルに該当するデータを抽出してその大きさを検査し、検査結果によって前記Ａ／Ｄ変換器に入力される信号のゲインを調節するゲイン調節部をさらに含む請求項２に記載の光ディスクシステムのデータ再生装置。
【請求項８】
前記ビタビ復号化器の中間値レベルに該当するデータは３Ｔレベル信号であり、最大値レベルは４Ｔレベル信号であり、ここで、Ｔはクロックの一周期である請求項７に記載の光ディスクシステムのデータ再生装置。
【請求項９】
光記録媒体から検出したＲＦ信号を復号化してデータを再生する装置において、
入力される前記ＲＦ信号を基準電圧に基づいてサンプリングするＡ／Ｄ変換器と、
前記サンプリングされた信号から所定時間中データの変化が検出されない場合、これを示すブランク検出信号を発生するブランク／欠陥検出部と、
前記サンプリングされた信号を受信してＤＳＶを算出し、算出されたＤＳＶに基づいて非対称補正信号を発生し、発生された非対称補正信号を前記Ａ／Ｄ変換器に基準電圧として供給する補正信号発生部と、
前記サンプリングされた信号を波形等化して出力する波形等化器と、
前記波形等化された信号を復号化して出力する復号化器を含み、
前記補正信号発生手段は前記ブランク検出信号が印加される場合、対応する前記サンプリングされた信号の区間に対するＤＳＶ算出動作を一時中止する光ディスクシステムのデータ再生装置。
【発明の詳細な説明】
【０００１】
【発明の属する技術分野】
本発明は光ディスクシステムのデータ再生装置に関する。
【０００２】
【従来の技術】
図１は従来の光ディスクシステムのデータ再生装置を示すブロック図である。図１の装置において、光ディスクなどから読み取ったＲＦ信号はＡ／Ｄ変換器１１及び二値化回路１４に入力される。二値化回路１４はＲＦ信号を二値化し、二値化した信号をＰＬＬ（Ｐｈａｓｅ  Ｌｏｃｋｅｄ  Ｌｏｏｐ）１５に出力する。ＰＬＬ１５は二値化した信号を受信してＲＦ信号に同期されたクロック信号ＰＬＣＫを発生する。クロック信号ＰＬＣＫはＡ／Ｄ変換器１１、波形等化器１２及びビタビ復号化器（Ｖｉｔｅｒｂｉ  Ｄｅｃｏｄｅｒ）１３に供給される。Ａ／Ｄ変換器１１は入力されるＲＦ信号をＡ／Ｄ変換し、Ａ／Ｄ変換された信号を波形等化器１２に出力する。波形等化器１２はＡ／Ｄ変換された信号を受信して後段のビタビ復号化器１３に適合した形態に波形等化する。ビタビ復号化器１３は波形等化された信号を受信してビタビ復号化し、その結果を再生信号ＶＩＴＯとして出力する。ビタビ復号化はチャンネル上に混入されたノイズなどの影響によりＲＦ信号に損傷が発生した時損傷された信号を復元させられる技術であって、ＨＤＤ（Ｈａｒｄ  Ｄｉｓｋ  Ｄｒｉｖｅ）等に幅広く使われる。
しかし、このような従来のデータ再生装置において、入力されるＲＦ信号に非対称（ａｓｙｍｍｅｔｒｙ）が存する場合、ビタビ復号化器がＲＦ信号を正しく復元できなくて再生データの品質に劣る問題点があった。
【０００３】
【発明が解決しようとする課題】
このような問題点を解決するための本発明の目的は、ＲＦ信号の非対称を補正して再生データの品質を向上させられる光ディスクシステムのデータ再生装置を提供するところにある。
【０００４】
【課題を解決するための手段】
このような目的を達成するための本発明による光ディスクシステムのデータ再生装置は、光記録媒体から検出したＲＦ信号を復号化してデータを再生する装置において、入力されるＲＦ信号をサンプリングして出力するＡ／Ｄ変換器と、サンプリングされた信号及び非対称補正信号とを加算して加算信号を出力する加算器と、加算信号から所定時間中データの変化が検出されない場合、これを示すブランク検出信号を発生するブランク／欠陥検出部と、加算信号を受信してＤＳＶを算出し、算出されたＤＳＶに基づいて非対称補正信号を発生し、発生された非対称補正信号を前記加算器に出力する補正信号発生部と、加算信号を波形等化して出力する波形等化器と、波形等化された信号を復号化して出力する復号化器とを含む。ここで、補正信号発生手段はブランク検出信号が印加される場合、対応する加算信号の区間に対するＤＳＶ算出動作を一時中止する。
【０００５】
【発明の実施の形態】
以下、添付した図面に基づき本発明の望ましい実施形態を詳細に説明する。
図２は本発明の一実施形態に伴う光ディスクシステムのデータ再生装置を示すブロック図である。図２の装置において、ブースタアンプ２０は光ディスクから検出されたＲＦ信号を受信し、増幅信号ＲＦＢＳＴＯを発生してＡ／Ｄ変換器２１に出力する。Ａ／Ｄ変換器２１はデジタル信号ＡＤＯを発生して加算器２２の第１入力端に出力する。加算器２２は第１入力端に入力される信号と第２入力端に入力される非対称補正信号ＡＳＹＶＡＬとを加算し、加算信号ＳＹＭＯをＰＬＬ２３、ブランク／欠陥（ｂｌａｎｋ／ｄｅｆｅｃｔ）検出部２４、波形等化器２６及びマルチプレクサ（ｍｕｌｔｉｐｌｅｘｅｒ）３１に出力する。ＰＬＬ２３はクロック信号ＰＬＣＫを発生してＡ／Ｄ変換器２１及び後述する他の回路に供給する。ブランク／欠陥検出部２４はＳＹＭＯ信号を受信し、ブランク／欠陥検出信号ＢＬＡＮＫを発生してＡＳＭレベル出力部２５に供給する。
【０００６】
波形等化器２６はＳＹＭＯ信号を受信し、波形等化された信号ＰＲＦを発生してＡＧＣ（Ａｕｔｏｍａｔｉｃ  Ｇａｉｎ  Ｃｏｎｔｒｏｌ）２７、ＡＤＴＧＣ（Ａｄａｐｔｉｖｅ  Ｔｍｉｎ  Ｇａｉｎ  Ｃｏｎｔｒｏｌ）２８、ビタビ復号化器２９及びマルチプレクサ３１に出力する。マルチプレクサ３１はＳＹＭＯ信号及びＰＲＦ信号を受信し、選択信号ＡＳＭＤＳによって受信された信号のうち一つをＡＳＭレベル出力部２５に出力する。ＡＳＭレベル出力部２５はマルチプレクサ３１の出力を受信し、ＡＳＹＶＡＬ信号を発生して加算器２２の第２入力端に出力する。ＡＧＣ２７はＰＲＦ信号を受信し、ゲイン調節信号ＲＦＡＧＣを発生してブースタアンプ２０に供給する。ＡＤＴＧＣ２８はＰＲＦ信号を受信し、フィルター係数ＫＣ’、ＫＤ’を発生して波形等化器２６に供給する。ビタビ復号化器２９はＰＲＦ信号を受信し、再生信号ＶＩＴＯを出力する。
【０００７】
このように構成された図２の装置の動作を図３乃至図７に基づき具体的に説明する。
図２において、光ディスクなどから検出されたＲＦ信号はブースタアンプ２０に入力される。ブースタアンプ２０は、図３に示したようなゲイン変化特性を有し、後述するＡＧＣ２７から供給されるＲＦＡＧＣ信号に応じてＲＦ信号を増幅させる。しかし、図２の装置の動作初期には、初期値に設定された増幅率で入力信号を増幅させる。Ａ／Ｄ変換器２１は増幅されたＲＦ信号（ＲＦＢＳＴＯ）を受信してＡ／Ｄ変換し、Ａ／Ｄ変換により発生したデジタル信号ＡＤＯを加算器２２の第１入力端に出力する。加算器２２はＡＤＯ信号と第２入力端に入力される非対称補正信号（ＡＳＹＶＡＬ）を加算する。図２の装置の動作初期にはＡＳＹＶＡＬ値が“０”に設定されるため、ＡＤＯ信号が加算信号（ＳＹＭＯ）として出力される。ブランク／欠陥検出部２４は後述するＡＳＭレベル出力部２５で非対称レベルを正確に検出できるように、受信されるＳＹＭＯ信号からデータが記録されていないか、ディスクに発生したスクラッチ等によりデータが損失された区間を検出する。
【０００８】
ブランク／欠陥検出部２４の詳細な構成と動作を図４に基づき説明する。加算器２２から出力されるＳＹＭＯ信号は、図４のブランク／欠陥検出部２４内のエッジ検出部４１と絶対値算出部４３に入力される。エッジ検出部４１は入力されるＳＹＭＯ信号でエッジを検出し、エッジ検出信号を第１チェック部４２に印加する。第１チェック部４２はエッジ検出信号が印加された時点から次のエッジ検出信号が印加される時までの符号ビットの長さをチェックする。第１チェック部４２はｎＴ区間中エッジが検出されない場合、この区間中入力信号に変化が無いことを示す第１チェック信号を発生してＯＲゲート４６に出力する。ここで、ＴはクロックＰＬＣＫの一周期であり、ｎは整数である。絶対値算出部４３はＳＹＭＯ信号の絶対値を算出してシフト部４４に出力する。
【０００９】
シフト部４４はＳＹＭＯ信号の絶対値を制御器（図示せず）から供給される設定値（α）ほど右にシフト（ｓｈｉｆｔ  ｒｉｇｈｔ）する。第２チェック部４５はシフト部４４から０値が連続的に入力されるかをチェックする。ｎＴ区間中０値が連続的に入力される場合、第２チェック部４５はｎＴ区間中一定大きさ以上のデータが無いことを示す第２チェック信号を発生してＯＲゲート４６に出力する。ＯＲゲート４６はチェック部４２、４５の出力を論理和演算し、その結果を出力する。即ち、第１及び第２チェック信号のうち何れか一つだけ印加されても、ＯＲゲート４６はデータが記録されていない区間であるか、データが損失された区間であることを示すブランク／欠陥検出信号ＢＬＡＮＫを発生する。
【００１０】
図２の装置に戻って再度説明すれば、波形等化器２６はＳＹＭＯ信号を受信して波形等化する。動作初期の波形等化器２６は初期値に設定されたフィルター係数値を利用する。マルチプレクサ３１は選択信号ＡＳＭＤＳによってＳＹＭＯ信号と波形等化器２６から出力される波形等化された信号ＰＲＦのうち一つを選択してＡＳＭレベル出力部２５に出力する。ＡＳＭレベル出力部２５はマルチプレクサ３１の出力を受信し、受信された信号の非対称レベルを検出する。
【００１１】
図５はＡＳＭレベル出力部２５の詳細構成図である。ＡＳＭレベル出力部２５内の符号検出部５２はマルチプレクサ３１から入力される信号の符号を検出してアップ／ダウンカウンター５３に出力する。アップ／ダウンカウンター５３は符号検出部５２から検出された符号が“＋”の場合はアップカウントを、“−”の場合はダウンカウントをする。ただ、ブランク／欠陥検出部２４からブランク信号が印加される場合は、入力データに対する信頼性が落ちる区間なので、カウント動作を中止する。アップ／ダウンカウンター５３のカウント値ＵＤＣＮＴは入力データに対するＤＳＶ（Ｄｉｇｉｔａｌ  Ｓｕｍ  Ｖａｌｕｅ）であり、ＤＳＶが大きいほど入力信号の非対称が大きいことを意味する。比較部５４はＵＤＣＮＴの絶対値を求め、求めた絶対値と既設定されたＤＳＶスレショルド値ＤＳＶＴＨとを比較する。
【００１２】
比較器５４はＵＤＣＮＴの絶対値がＤＳＶＴＨより大きいと判断された場合、これを示す判断結果信号を発生して累積演算部５１に出力し、アップ／ダウンカウンター５３をリセットさせる。累積演算部５１はＵＤＣＮＴの絶対値がＤＳＶＴＨより大きいことを示す判断結果信号に印加される場合、ＵＤＣＮＴ値に基づいたＡＳＹＶＡＬ値を発生する。詳細に説明すれば、ＵＤＣＮＴ値の有する符号が“＋”の場合は“−”符号を持ち、ＵＤＣＮＴの絶対値に比例する大きさを有するＡＳＹＶＡＬ値を発生する。一方、ＵＤＣＮＴ値の有する符号が“−”の場合は“＋”符号を持ち、ＵＤＣＮＴの絶対値に比例する大きさを有するＡＳＹＶＡＬ値を発生する。ＡＳＹＶＡＬ値は図２の装置の加算器２２の第２入力端に印加される。加算器２２はＡＳＹＶＡＬ値を第１入力端に入力される現在入力信号に加算することによって、非対称が補正された信号を出力し続ける。
【００１３】
一方、ＡＤＴＧＣ２８はビタビ復号化器２９に入力されるデータのうちビタビ復号化器２９で用いられるデータの中間値の３Ｔレベルに該当するデータを抽出してレベルが適切なのかを検査する。
ＡＤＴＧＣ２８の詳細回路図を示す図６において、遅延器６１１〜６１３と比較器６１４〜６１７はＰＲＦ信号から±３Ｔに該当する信号を抽出する。一列に連結された遅延器６１１〜６１３は波形等化された信号ＰＲＦをＰＬＣＫの一周期ほどずつ遅らせる。比較器６１４は入力されるＰＲＦ信号の絶対値を求め、求めた絶対値を３Ｔ信号を検出するための基準値ＥＱＲＮＧと比較する。比較器６１４はＰＲＦの絶対値がＥＱＲＮＧより小さい場合、入力信号を３Ｔ信号と判断し、第１イネーブル信号Ｅ１を発生する。第１イネーブル信号Ｅ１は演算部６１８、６１９に印加される。比較器６１５は遅延器６１１、６１２から出力される遅延信号Ｄ１、Ｄ２を受信し、遅延信号の差値の絶対値を求める。
【００１４】
そして、求めた絶対値をＥＱＲＮＧと比較し、ＥＱＲＮＧより小さければＤ１とＤ２をお互い似たレベルの信号だと判断する。これは、入力データがＰＬＬ２３により同期された状態であることを表す。第２比較器６１５は判断結果信号を第４比較器６１７に出力する。第４比較器６１７は第２比較器６１５から判断結果信号、Ｄ１及びＤ２を受信し、Ｄ１とＤ２をＥＱＲＮＧ信号と個別的に比較する。比較結果、遅延信号Ｄ１、Ｄ２の全てＥＱＲＮＧより大きい場合には、Ｄ１、Ｄ２がゼロ値近くではなく適正レベル以上の大きさを有する信号だと判断し、第２イネーブル信号Ｅ２を演算部６１８に出力する。
【００１５】
一方、Ｄ１、Ｄ２の全てがＥＱＲＮＧより小さい場合は、Ｄ１及びＤ２がゼロ値近くではなく適正レベル以下の大きさを有するものと判断して第４イネーブル信号Ｅ４を演算部６１９に出力する。比較器６１６は遅延器６１３から出力される遅延信号Ｄ３の絶対値を求めた後、ＥＱＲＮＧと比較する。比較結果、Ｄ３の絶対値がＥＱＲＮＧより小さければ、第３イネーブル信号Ｅ３を発生して演算部６１８、６１９に出力する。演算部６１８と演算部６１９はイネーブル信号Ｅ１、Ｅ２（またはＥ４）、Ｅ３が全て印加される場合にイネーブル状態となる。ここで、イネーブル信号らＥ１、Ｅ２、Ｅ３が印加される場合は、入力されるデータがクロックに同期された３Ｔ信号であることを示し、イネーブル信号らＥ１、Ｅ４、Ｅ３が印加される場合は、入力データがクロックに同期された−３Ｔ信号であることを示す。
【００１６】
演算部６１８がイネーブルされる場合、演算部６１８は＋３Ｔ信号に対してＤ１とＤ２を加算してその結果を比較器６２０に出力する。演算部６１９がイネーブルされる場合は、−３Ｔ信号に対してＤ１とＤ２とを加算してその結果を比較器６２１に出力する。比較器６２０は演算部６１８から印加される加算結果とビタビ復号化器２９の動作初期の３Ｔレベルに該当する標準中間値ＭＩＤＳＥＴとを比較し、その比較結果をアップ／ダウンカウンター６２２に出力する。同じく、比較器６２１は演算部６１９から印加される加算結果とＭＩＤＳＥＴとを比較し、その比較結果をアップ／ダウンカウンター６２２に出力する。Ｄ１＋Ｄ２がＭＩＤＳＥＴより大きいことを表す比較結果が比較器６２０または比較器６２１から印加されれば、アップ／ダウンカウンター６２２はアップカウントを施す。
【００１７】
逆に、Ｄ１＋Ｄ２がＭＩＤＳＥＴより小さいことを示す比較結果が印加されれば、ダウンカウントを施す。アップ／ダウンカウンター６２２のカウント値は比較器６２３に印加される。比較器６２３はカウント値を外部から供給されるオフセット値ＯＦＦＳＥＴと比較し、カウント値がＯＦＦＳＥＴ値を超える場合、これを示す信号を係数調整部６２４に出力する。係数調整部６２４はカウント値がＯＦＦＳＥＴ値を超えることを示す比較結果信号が印加される場合、波形等化器２６のフィルター係数値ＫＣ’、ＫＤ’を調整して出力する。ＡＤＴＧＣ２８のアップ／ダウンカウンター６２２はＰＬＬ２３から印加されるクロック同期信号ＰＬＬＯＣＫが、データにクロック同期された状態ではないことを示す場合、カウント動作を中止して回路の動作を安定化する。
【００１８】
一方、ＡＧＣ２７はブースタアンプ２０のゲインを適正値に維持させるため、ビタビ復号化器２９に入力されるデータのうちビタビ復号化器２９で用いられるデータの最大値の４Ｔレベルに該当するデータを抽出してレベルが適切なのかを検査する。
ＡＧＣ２７の詳細回路図を示した図７において、遅延器７１１〜７１４と比較器７１５〜７１９は入力されるＰＲＦ信号のうち±４Ｔに該当する信号を検出する。一列に連結された遅延器７１１〜７１４は入力されるＰＲＦ信号をＰＬＣＫの一周期ほどずつ遅らせて出力する。比較器７１５は４Ｔレベルを検出するための基準値ＥＱＲＮＧを利用して４Ｔレベル信号を検出する。比較器７１５は４Ｔレベル信号を検出した場合、第１イネーブル信号Ｅ１を発生して貯蔵部７２０、７２１に出力する。
【００１９】
また、比較器７１８も遅延信号Ｄ４から４Ｔレベル信号を検出する。比較器７１８は４Ｔレベル信号が検出された場合、第３イネーブル信号Ｅ３を発生して貯蔵部７２０、７２１に出力する。比較器７１６はＤ１がＤ２より小さな場合、これを示す比較結果信号を比較器７１９に出力し、比較器７１７はＤ２がＤ３より大きい場合、これを示す比較結果信号を比較器７１９に出力する。比較器７１９は比較器７１６、７１７の比較結果信号を入力され、Ｄ１、Ｄ２及びＤ３の全てがＥＱＲＮＧより大きい場合だけ第１貯蔵部７２０に第２イネーブル信号Ｅ２を出力し、Ｄ１、Ｄ２及びＤ３の全てがＥＱＲＮＧより小さい場合には貯蔵部７２１に第４イネーブル信号Ｅ４を出力する。貯蔵部７２０、７２１はイネーブル信号Ｅ１、Ｅ２（またはＥ４）、Ｅ３の全てが印加される場合にだけイネーブル状態となる。
【００２０】
貯蔵部７２０は＋４Ｔ信号に対するＤ２値を貯蔵し、貯蔵された値を読み取って比較器７２２に出力する。貯蔵部７２１がイネーブルされる場合には、−４Ｔ信号に対するＤ２値を貯蔵し、その貯蔵された値を読み取って比較器７２３に出力する。
比較器７２２は＋４Ｔ信号のＤ２を外部から供給されるビタビ復号化器２９の動作初期の４Ｔレベルに該当する標準最大値ＭＡＸＳＥＴと比較し、その比較結果をアップ／ダウンカウンター７２４に出力する。比較器７２３は−４Ｔ信号のＤ２をＭＡＸＳＥＴと比較し、その比較結果をアップ／ダウンカウンター７２４に出力する。Ｄ２がＭＡＸＳＥＴより大きい場合、アップ／ダウンカウンター７２４はアップカウントを施し、小さな場合ダウンカウントを施す。アップ／ダウンカウンター７２４のカウント値は比較器７２５印加される。
【００２１】
比較器７２５はカウント値を外部から供給されるオフセット値ＯＦＦＳＥＴと比較する。カウント値がＯＦＦＳＥＴ値を超える場合、ＰＷＭ発生器７２６とゲイン制御部７２７はブースタアンプ２０のゲイン（ｇａｉｎ）を調節するゲイン調節信号ＲＦＡＧＣを発生してブースタアンプ２０に供給する。ＡＧＣ２７のアップ／ダウンカウンター７２４もまた、ＰＬＬ２３から印加されるクロック同期信号ＰＬＬＯＣＫが、データにクロック同期された状態でないことを示す場合、カウント動作を中止して回路の動作を安定化する。
【００２２】
図２の装置において、ビタビ復号化器２９はＰＲＦ信号をビタビ復号化して再生信号ＶＩＴＯとして出力する。
図８は本発明の他の実施形態にともなう光ディスクシステムのデータ再生装置を示す。
図８の装置は、図２の装置で加算器２２の代わりに、ＡＳＭレベル出力部２５の出力をＤ／Ａ変換してＡ／Ｄ変換器２１に出力するＤ／Ａ変換器３２を備えることを除けば、図２の装置と同一である。図８の装置において、図２の装置と同じ機能を果す回路は同じ参照番号を付して説明を省略する。
Ｄ／Ａ変換器３２はＡＳＹＶＡＬ値をＤ／Ａ変換してＡ／Ｄ変換器２１に基準電圧として印加する。その結果、Ａ／Ｄ変換器２１から出力される信号はそれ自体非対称が補正されたデータになる。
【００２３】
【発明の効果】
以上述べたように、本発明はＲＦ信号の非対称を補正することでビタビ復号化期の性能を向上させ、その結果再生データの品質を向上させうる。
【図面の簡単な説明】
【図１】従来の光ディスクシステムのデータ再生装置のブロック図である。
【図２】本発明の一実施形態にともなう光ディスクシステムのデータ再生装置のブロック図である。
【図３】図２の装置でブースタアンプのゲイン変化特性を示すグラフである。
【図４】図２の装置でブランク／欠陥検出部の詳細回路図である。
【図５】図２の装置でＡＳＭレベル出力部の詳細回路図である。
【図６】図２の装置でＡＤＴＧＣの詳細回路図である。
【図７】図２の装置でＡＧＣの詳細回路図である。
【図８】本発明の他の実施形態に伴う光ディスクシステムのデータ再生装置のブロック図である。
【符号の説明】
２０  ブースタアンプ
２１  Ａ／Ｄ変換器
２２  加算器
２３  ＰＬＬ
２４  ブランク／欠陥検出部
２５  ＡＳＭレベル出力部
２６  波形等化器
２７  ＡＧＣ
２８  ＡＤＴＧＣ
２９  ビタビ復号化器
３１  マルチプレクサ
３２  Ｄ／Ａ変換器
【図１】
0003540222.tif 000002
【図２】
0003540222.tif 000003
【図３】
0003540222.tif 000004
【図４】
0003540222.tif 000005
【図５】
0003540222.tif 000006
【図６】
0003540222.tif 000007
【図７】
0003540222.tif 000008
【図８】
0003540222.tif 000009